(57)【要約】イメージング回路及びイメージング方法が提供される。一例となるイメージング回路は、増幅器及び、増幅器の出力部と増幅器の反転入力部との間のフィードバック経路において結合されるフィードバックキャパシタを含むトランスインピーダンスアンプ回路と、相関二重サンプリングキャパシタと、第１経路に沿って相関二重サンプリングキャパシタの第１端子と増幅器の出力部との間に選択的に結合される第１スイッチと、第２経路に沿って相関二重サンプリングキャパシタの第２端子と増幅器の出力部との間に選択的に結合され、アクティブにされる場合に相関二重サンプリングキャパシタをフィードバックキャパシタと直列にフィードバック経路内に結合するよう位置付けられる第２スイッチと、サンプル・ホールドスイッチを介して増幅器の出力部へ結合されるサンプル・ホールドキャパシタとを有する。
2019508922.tif 000002
【特許請求の範囲】
【請求項１】
増幅器及び、該増幅器の出力部と該増幅器の反転入力部との間のフィードバック経路において結合されるフィードバックキャパシタを含むトランスインピーダンスアンプ回路と、
相関二重サンプリングキャパシタと、
第１経路に沿って前記相関二重サンプリングキャパシタの第１端子と前記増幅器の前記出力部との間に選択的に結合される第１スイッチと、
第２経路に沿って前記相関二重サンプリングキャパシタの第２端子と前記増幅器の前記出力部との間に選択的に結合され、アクティブにされる場合に前記相関二重サンプリングキャパシタを前記フィードバックキャパシタと直列に前記フィードバック経路内に結合するよう位置付けられる第２スイッチと、
サンプル・ホールドスイッチを介して前記増幅器の前記出力部へ結合されるサンプル・ホールドキャパシタと
を有するイメージング回路。
【請求項２】
前記サンプル・ホールドスイッチは、アクティブにされる場合に、前記増幅器の前記出力部と前記サンプル・ホールドキャパシタとを直接結合する、
請求項１に記載のイメージング回路。
【請求項３】
前記相関二重サンプリングキャパシタの前記第１端子は、負端子であり、前記相関二重サンプリングキャパシタの前記第２端子は、正端子である、
請求項２に記載のイメージング回路。
【請求項４】
前記増幅器の前記反転入力部へ結合されるフォトダイオード
を更に有する請求項３に記載のイメージング回路。
【請求項５】
クランプスイッチを介して前記相関二重サンプリングキャパシタの前記第２端子へ結合される電圧クランプ
を更に有する請求項１に記載のイメージング回路。
【請求項６】
前記クランプスイッチと電気通信するコントローラを更に有し、
ノイズサンプリング動作モードの間、前記コントローラは、前記フィードバックキャパシタのｋＴＣノイズを前記相関二重サンプリングキャパシタにサンプリングするように前記クランプスイッチを制御するよう構成される、
請求項５に記載のイメージング回路。
【請求項７】
積分動作モードの間、前記トランスインピーダンスアンプ回路は、前記フィードバックキャパシタに蓄えられた電荷を積分し、前記増幅器の前記出力部で出力電圧を生成するよう構成される、
請求項６に記載のイメージング回路。
【請求項８】
前記コントローラは、前記第１スイッチ及び前記第２スイッチと更に電気通信し、相関二重サンプリング動作モードの間、前記コントローラは、前記フィードバックキャパシタの前記ｋＴＣノイズを前記出力電圧から除くように前記第１スイッチを非アクティブにし且つ前記第２スイッチをアクティブにするよう構成される、
請求項７に記載のイメージング回路。
【請求項９】
前記コントローラは、前記サンプル・ホールドスイッチと更に電気通信し、サンプル・ホールド動作モードの間、前記コントローラは、前記出力電圧を前記サンプル・ホールドキャパシタに直接サンプリングするように前記サンプル・ホールドスイッチをアクティブにするよう構成される、
請求項８に記載のイメージング回路。
【請求項１０】
トランスインピーダンスアンプ回路のフィードバック経路において結合されるフィードバックキャパシタのｋＴＣノイズを相関二重サンプリングキャパシタにサンプリングすることと、
前記フィードバックキャパシタに蓄えられた電荷に少なくとも部分的に基づき、前記トランスインピーダンスアンプ回路の増幅器の出力部で出力電圧を生成することと、
前記フィードバックキャパシタの前記ｋＴＣノイズを前記出力電圧から除くよう、前記相関二重サンプリングキャパシタを前記フィードバックキャパシタと直列に切り替えることと、
サンプル・ホールドスイッチによって前記増幅器の前記出力部と直接結合されるサンプル・ホールドキャパシタに前記出力電圧をサンプリングすることと
を有するイメージング方法。
【請求項１１】
前記トランスインピーダンスアンプ回路へ結合されるフォトダイオードから電流を受けること
を更に有する請求項１０に記載のイメージング方法。
【請求項１２】
前記フィードバックキャパシタの前記ｋＴＣノイズを前記相関二重サンプリングキャパシタにサンプリングすることは、電圧クランプと前記相関二重サンプリングキャパシタの正端子との間のクランプスイッチを制御することを含む、
請求項１０に記載のイメージング方法。
【請求項１３】
前記増幅器の前記出力部で前記出力電圧を生成することは、前記フィードバックキャパシタに蓄えられた電荷を積分することを含む、
請求項１２に記載のイメージング方法。
【請求項１４】
前記相関二重サンプリングキャパシタを前記フィードバックキャパシタと直列に切り替えることは、前記相関二重サンプリングキャパシタの負端子と前記増幅器の前記出力部との間に結合される第１スイッチを非アクティブにし、前記相関二重サンプリングキャパシタの前記正端子と前記増幅器の前記出力部との間に結合される第２スイッチをアクティブにすることを含む、
請求項１３に記載のイメージング方法。
【請求項１５】
前記サンプル・ホールドキャパシタは、フォロワアンプの入力部へ更に結合され、当該イメージング方法は、
前記増幅器の出力電圧を前記サンプル・ホールドキャパシタで保持することと、
前記サンプル・ホールドキャパシタでのサンプル・ホールド電圧を検知することと
を更に有する、
請求項１４に記載のイメージング方法。
【請求項１６】
イメージングのための回路であって、
増幅器及び、該増幅器の出力部と該増幅器の入力部との間のフィードバック経路において結合されるフィードバックキャパシタを含むトランスインピーダンスアンプ回路と、
第１端子及び第２端子を備える相関二重サンプリングキャパシタと、
前記フィードバックキャパシタのｋＴＣノイズを前記相関二重サンプリングキャパシタの前記第１端子にサンプリングし、且つ、前記相関二重サンプリングキャパシタを前記フィードバックキャパシタと直列に前記フィードバック経路内に結合するスイッチング手段と、
サンプル・ホールドスイッチを介して前記増幅器の前記出力部へ結合されるサンプル・ホールドキャパシタと
を有する回路。
【請求項１７】
前記サンプル・ホールドスイッチは、アクティブにされる場合に、前記増幅器の前記出力部と前記サンプル・ホールドキャパシタとを直接結合する、
請求項１６に記載の回路。
【請求項１８】
前記トランスインピーダンスアンプ回路は、前記フィードバックキャパシタに蓄えられた電荷を積分し、前記増幅器の前記出力部で出力電圧を生成するよう構成され、
前記スイッチング手段は、前記ｋＴＣノイズを前記出力電圧から除くよう位置付けられる、
請求項１６に記載の回路。
【請求項１９】
前記相関二重サンプリングキャパシタの前記第１端子は、負端子であり、前記相関二重サンプリングキャパシタの前記第２端子は、正端子である、
請求項１６に記載の回路。
【請求項２０】
前記増幅器の反転入力部へ結合されるフォトダイオード
を更に有する請求項１９に記載の回路。
【発明の詳細な説明】
【背景技術】
【０００１】
容量型トランスインピーダンスアンプ（ＣＴＩＡ；Capacitive  Transimpedance  Amplifier(s)）は、フォトダイオード又は他の検出器の出力を、フォーカルプレーンアレイの読出集積回路ユニットセル内の使用可能な電圧に増幅するために、様々な配置でしばしば使用されている。典型的なフォーカルプレーンアレイは、行又は列によって編成された検出器素子又はピクセル（すなわち、ユニットセル）の２次元アレイを含む。ＣＴＩＡは、低いインピーダンスをフォトダイオードに提供し、フォトダイオードを、ＣＴＩＡに含まれる演算増幅器の出力電圧から絶縁する。ＣＴＩＡのフィードバックループ内のフィードバックキャパシタは、一般的に、ＣＴＩＡの安定性を改善するために使用される。従来のイメージング回路は、一般的に、相関二重サンプリング（ＣＤＳ；Correlated  Double  Sampling）キャパシタを更に含み、ＣＤＳスキームを用いてノイズ性能を改善する。ＣＤＳは、イメージング回路におけるノイズ低減の方法であり、ピクセルのリファレンス電圧は、夫々の積分周期の終わりに、ピクセルの信号電圧から除かれる。
【０００２】
イメージング回路の既存のスキームは、サンプル・ホールド回路と組み合わせてＣＴＩＡアーキテクチャ及びＣＤＳ技術をしばしば利用する。例えば、多くの従来の読出集積回路ユニットセルは、フォトダイオードでの様々な波長の光束に対応してそのフォトダイオードによって生成された電荷を処理するために、ＣＴＩＡ及びＣＤＳアーキテクチャを含む。しばしば、電荷は、回路内のキャパシタで蓄積され、これにより、電荷は積分されて、出力電圧が生成される。出力電圧は、積分インターバルと一般に呼ばれる所与の時間インターバルにわたる光束の強さに対応する。そのような回路は、一般的に、出力電圧を下流の部品へ運び、キャパシタの電圧をリセット値にリセットする。例えば、出力電圧は、サンプル・ホールドキャパシタでサンプリングされて保持され、ユニットセルに関連する回路によって周期的にブリードされてデジタル化され、１つ以上のバイナリ値が生成される。
【発明の概要】
【０００３】
本願で説明される態様及び実施形態は、イメージングのための回路及び方法を対象とする。特に、態様及び実施形態は、既存の容量型トランスインピーダンスアンプ及び相関二重サンプリング読出集積回路（ＲＯＩＣ；Read-Out  Integrated  Circuit）のユニットセル回路を改善するイメージング回路及び方法を対象とする。様々な態様において、従来のイメージング回路のＣＤＳキャパシタ及びサンプル・ホールドキャパシタの間の容量共有に起因した減衰は、ユニットセル回路のＣＴＩＡ回路のフィードバックループ内にＣＤＳキャパシタを選択的に結合することで回避され、それによって、信号減衰を伴わずに、ＣＴＩＡ回路により直接にサンプル・ホールドキャパシタを駆動する。然るに、態様及び実施形態によって提供される技術的利点には、従来のアーキテクチャに対して、少なくとも、改善された実現可能性及びノイズ性能がある。
【０００４】
態様に従って、イメージング回路が提供される。一例において、イメージング回路は、増幅器及び、該増幅器の出力部と該増幅器の反転入力部との間のフィードバック経路において結合されるフィードバックキャパシタを含むトランスインピーダンスアンプ回路と、相関二重サンプリングキャパシタと、第１経路に沿って前記相関二重サンプリングキャパシタの第１端子と前記増幅器の前記出力部との間に選択的に結合される第１スイッチと、第２経路に沿って前記相関二重サンプリングキャパシタの第２端子と前記増幅器の前記出力部との間に選択的に結合され、アクティブにされる場合に前記相関二重サンプリングキャパシタを前記フィードバックキャパシタと直列に前記フィードバック経路内に結合するよう位置付けられる第２スイッチと、サンプル・ホールドスイッチを介して前記増幅器の前記出力部へ結合されるサンプル・ホールドキャパシタとを含む。
【０００５】
実施形態に従って、前記サンプル・ホールドスイッチは、アクティブにされる場合に、前記増幅器の前記出力部と前記サンプル・ホールドキャパシタとを直接結合する。一実施形態において、前記相関二重サンプリングキャパシタの前記第１端子は、負端子であり、前記相関二重サンプリングキャパシタの前記第２端子は、正端子である。実施形態に従って、イメージング回路は、前記増幅器の前記反転入力部へ結合されるフォトダイオードを更に含む。
【０００６】
一実施形態において、イメージング回路は、クランプスイッチを介して前記相関二重サンプリングキャパシタの前記第２端子へ結合される電圧クランプを更に含む。更なる実施形態に従って、イメージング回路は、前記クランプスイッチと電気通信するコントローラを更に含み、ノイズサンプリング動作モードの間、前記コントローラは、前記フィードバックキャパシタのｋＴＣノイズを前記相関二重サンプリングキャパシタにサンプリングするように前記クランプスイッチを制御するよう構成される。実施形態において、積分動作モードの間、前記トランスインピーダンスアンプ回路は、前記フィードバックキャパシタに蓄えられた電荷を積分し、前記増幅器の前記出力部で出力電圧を生成するよう構成される。
【０００７】
実施形態に従って、前記コントローラは、前記第１スイッチ及び前記第２スイッチと更に電気通信し、相関二重サンプリング動作モードの間、前記コントローラは、前記フィードバックキャパシタの前記ｋＴＣノイズを前記出力電圧から除くように前記第１スイッチを非アクティブにし且つ前記第２スイッチをアクティブにするよう構成される。一実施形態において、前記コントローラは、前記サンプル・ホールドスイッチと更に電気通信し、サンプル・ホールド動作モードの間、前記コントローラは、前記出力電圧を前記サンプル・ホールドキャパシタに直接サンプリングするように前記サンプル・ホールドスイッチをアクティブにするよう構成される。
【０００８】
態様に従って、イメージング方法が提供される。一例において、イメージング方法は、トランスインピーダンスアンプ回路のフィードバック経路において結合されるフィードバックキャパシタのｋＴＣノイズを相関二重サンプリングキャパシタにサンプリングすることと、前記フィードバックキャパシタに蓄えられた電荷に少なくとも部分的に基づき、前記トランスインピーダンスアンプ回路の増幅器の出力部で出力電圧を生成することと、前記フィードバックキャパシタの前記ｋＴＣノイズを前記出力電圧から除くよう、前記相関二重サンプリングキャパシタを前記フィードバックキャパシタと直列に切り替えることと、サンプル・ホールドスイッチによって前記増幅器の前記出力部と直接結合されるサンプル・ホールドキャパシタに前記出力電圧をサンプリングすることとを含む。
【０００９】
実施形態において、方法は、前記トランスインピーダンスアンプ回路へ結合されるフォトダイオードから電流を受けることを更に含む。一実施形態において、前記フィードバックキャパシタの前記ｋＴＣノイズを前記相関二重サンプリングキャパシタにサンプリングすることは、電圧クランプと前記相関二重サンプリングキャパシタの正端子との間のクランプスイッチを制御することを含む。実施形態に従って、前記増幅器の前記出力部で前記出力電圧を生成することは、前記フィードバックキャパシタに蓄えられた電荷を積分することを含む。実施形態において、前記相関二重サンプリングキャパシタを前記フィードバックキャパシタと直列に切り替えることは、前記相関二重サンプリングキャパシタの負端子と前記増幅器の前記出力部との間に結合される第１スイッチを非アクティブにし、前記相関二重サンプリングキャパシタの前記正端子と前記増幅器の前記出力部との間に結合される第２スイッチをアクティブにすることを含む。実施形態において、前記サンプル・ホールドキャパシタは、フォロワアンプの入力部へ更に結合され、方法は、前記増幅器の出力電圧を前記サンプル・ホールドキャパシタで保持することと、前記サンプル・ホールドキャパシタでのサンプル・ホールド電圧を検知することとを更に含む。
【００１０】
他の態様に従って、イメージングのための回路が提供される。一例において、回路は、増幅器及び、該増幅器の出力部と該増幅器の入力部との間のフィードバック経路において結合されるフィードバックキャパシタを含むトランスインピーダンスアンプ回路と、第１端子及び第２端子を備える相関二重サンプリングキャパシタと、前記フィードバックキャパシタのｋＴＣノイズを前記相関二重サンプリングキャパシタの前記第１端子にサンプリングし、且つ、前記相関二重サンプリングキャパシタを前記フィードバックキャパシタと直列に前記フィードバック経路内に結合するスイッチング手段と、サンプル・ホールドスイッチを介して前記増幅器の前記出力部へ結合されるサンプル・ホールドキャパシタとを含む。
【００１１】
実施形態に従って、前記サンプル・ホールドスイッチは、アクティブにされる場合に、前記増幅器の前記出力部と前記サンプル・ホールドキャパシタとを直接結合する。実施形態において、前記トランスインピーダンスアンプ回路は、前記フィードバックキャパシタに蓄えられた電荷を積分し、前記増幅器の前記出力部で出力電圧を生成するよう構成され、前記スイッチング手段は、前記ｋＴＣノイズを前記出力電圧から除くよう位置付けられる。一実施形態に従って、前記相関二重サンプリングキャパシタの前記第１端子は、負端子であり、前記相関二重サンプリングキャパシタの前記第２端子は、正端子である。実施形態において、回路は、前記増幅器の反転入力部へ結合されるフォトダイオードを更に含む。
【００１２】
更なる他の態様、実施形態、並びにそれらの例となる態様及び実施形態の利点は、以下で詳細に説明される。ここで開示される実施形態は、ここで開示されている原理のうちの少なくとも１つと一致した多くの方法で、他の実施形態と組み合わされてよく、“実施形態”、“いくつかの実施形態”、“代替の実施形態”、“様々な実施形態”、“一実施形態”などとの言及は、必ずしも相互排他的ではなく、記載されている特定の特徴、構造、又は特性が少なくとも１つの実施形態に含まれ得ることを示すよう意図される。ここでのそのような語の出現は、必ずしも全てが同じ実施形態に言及しているわけではない。ここで記載される様々な態様及び実施形態は、記載されている方法又は機能のうちのいずれかを実施するための手段を含んでよい。
【図面の簡単な説明】
【００１３】
少なくとも１つの様々な態様は、添付の図面を参照して以下で説明される。図面は、実寸通りに描かれるよう意図されない。図面は、様々な態様及び実施形態の説明及び更なる理解を提供するために含まれており、本明細書に組み込まれてその一部を構成するが、本発明の範囲の定義として意図されない。図面において、様々な図で表されている夫々の同じ又は略同じ構成要素は、同じ参照符号を付されている。明りょうさのために、全ての構成要素が全ての図において符号を付されるわけではない。
【図１】既知のイメージング回路の一例の略図である。
【図２】本発明の態様に従う第１動作モードにおけるイメージング回路の一例の略図である。
【図３】本発明の態様に従って第２動作モードにおいて示された図２のイメージング回路の略図である。
【図４】本発明の態様に従って第３動作モードにおいて示された図２のイメージング回路の略図である。
【図５】本発明の態様に従って第４動作モードにおいて示された図２のイメージング回路の略図である。
【図６】本発明の態様に従うプロセスフローの例である。
【発明を実施するための形態】
【００１４】
態様及び実施形態は、イメージング回路及び方法を対象とし、特に、読出集積回路（ＲＯＩＣ）ユニットセル回路を対象とする。様々な態様及び実施形態は、既存の容量型トランスインピーダンスアンプ（ＣＴＩＡ）、相関二重サンプリング（ＣＤＳ）、及びサンプル・ホールドのユニットセル回路を改善するＲＯＩＣユニットセル及び方法を含む。
【００１５】
図１は、既存のＣＴＩＡ、ＣＤＳ、及びサンプル・ホールド回路設計１００の略図である。回路１００は、ＣＴＩＡ１０４の出力部とサンプル・ホールドキャパシタ１０６との間に結合されたフローティングＣＤＳキャパシタ１０２を含む。然るに、フローティングＣＤＳキャパシタ１０２は、ユニットセル回路１００の各リセットの後に、ＣＴＩＡ１０４の出力のｋＴＣノイズ（ジョンソン・ナイキストノイズ）によってクランプされる。サンプル／ホールド転送インターバルの間、ＣＴＩＡ１０４の出力は、ＣＤＳキャパシタ１０２を通じてサンプル・ホールドキャパシタ１０６にサンプリングされる。ＣＤＳキャパシタ１０２とサンプル・ホールドキャパシタ１０６との間の電荷共有減衰の結果として、サンプル・ホールドキャパシタ１０６の必要とされる値は、ＣＤＳキャパシタ１０２のそれよりもずっと小さく駆動される。減衰はまた、サンプル・ホールドキャパシタ１０６及び他の下流構成要素のような回路１００内の構成要素からのノイズの好ましくない増幅を生じさせうる。
【００１６】
然るに、既知の配置は、有効なノイズ性能を保つようＣＤＳキャパシタ１０２の値とサンプル・ホールドキャパシタ１０６の値との間の微妙なバランスを必要とする。電荷共有減衰を制限するようＣＤＳキャパシタ１０２に対してずっと小さい値を有するサンプル・ホールドキャパシタ１０６を選択することが好ましいが、一方で、値が小さすぎるサンプル・ホールドキャパシタ１０６の選択は、回路１００のｋＴＣノイズを増大させる。更に、回路１００のノイズは、サンプル・ホールドリセットスイッチ１０８のｋＴＣノイズによって２回成立される。１回は、ｋＴＣノイズがＣＤＳキャパシタ１０２に“逆方向に”充電される場合であり、もう１回は、サンプル・ホールドキャパシタ１０６がサンプリングされる場合（すなわち、サンプル・ホールドスイッチ１１０が出力電圧をスナップショットするようアクティブにされる場合）である。図１に示される回路１００のような既知の配置は、そのｋＴＣ限界よりもずっと大きい値のＣＤＳキャパシタをしばしば必要とするので、長いクランプ期間が必要とされる。長いクランプ期間は、ＣＴＩＡ１０４の積分効率を上げ、高速なフレームレート動作を複雑にする。
【００１７】
例えば、従来の回路は、４１１フェムト・ファラッドのＣＤＳキャパシタ１０２と、１１０フェムト・ファラッドのサンプル・ホールドキャパシタ１０６とを含んでよく、これは、ＣＤＳキャパシタ１０２及びサンプル・ホールドキャパシタ１０６の電荷共有において約０．７８の減衰を引き起こしうる。従来の回路１００のＣＴＩＡ１０４内で３２フェムト・ファラッドのフィードバックキャパシタ１１２を使用するとき、サンプル・ホールドキャパシタ１０６の結果として現れるｋＴＣノイズは約３１．２ｅ−であり、一方、ＣＤＳキャパシタ１０２のｋＴＣノイズは約１８ｅ−である。そのような例は、従来の回路において、ＣＤＳキャパシタがサンプル・ホールドキャパシタの値に対して十分に大きく作られ得ないということで、サンプル・ホールドキャパシタのｋＴＣノイズが好ましくなくノイズフロアを決定づけることを説明する。
【００１８】
然るに、ここで記載される様々な態様及び実施形態は、様々な既知のイメージング回路の入力換算ノイズ（input  referred  noise）を減らし、且つ、回路部品からのｋＴＣノイズの影響を減らすことで、ノイズ性能を改善する。特に、様々な態様及び実施形態は、相関二重サンプリングキャパシタをＣＴＩＡ回路のフィードバックループに選択的に結合して、ＣＴＩＡ回路により直接にサンプル・ホールドキャパシタを駆動することで、ＣＤＳキャパシタとサンプル・ホールドキャパシタとの間の容量共有に起因した減衰を防ぐ。
【００１９】
当然ながら、ここで説明される方法及び装置の実施形態は、以下の説明で説明されるか又は添付の図面で表される構成の詳細及び構成要素の配置に本願において制限されない。方法及び装置は、他の実施形態における実装、及び様々な方法で実施又は実行されることが可能である。具体的な実施の例は、説明のためだけにここで提供され、制限であるよう意図されない。また、ここで使用される表現及び用語は、記載のためであり、制限と見なされるべきではない。“含む（including）”、“有する（comprising）”、“備えている（having）”、“包含する（containing）”、“伴う(involving)”及びそれらの変形のここでの使用は、その前に挙げられている項目及びその同等物並びに追加の項目を包含するよう意図される。“又は（or）”との言及は、“又は”を用いて記載される如何なる語も、記載されている語のうちの１つ、１つよりも多く、及び全てのうちのいずれかを示し得るように、包含的と解釈され得る。前及び後ろ、左及び右、上及び下、上方及び下方、並びに垂直及び水平との如何なる言及も、記載の便宜上、目下のシステム及び方法又はそれらの構成要素を如何なる１つの位置的又は空間的な座標にも制限しないよう意図される。
【００２０】
図２は、態様及び実施形態に従うイメージング回路の一例の略図を示す。回路２００は、トランスインピーダンスアンプ回路２０４、ＣＤＳキャパシタ２０２、サンプル・ホールドキャパシタ２０６、及び１つ以上のスイッチングデバイス（すなわち、スイッチ）を含んでよい。特に、様々な実施形態のトランスインピーダンスアンプ回路２０４は、反転入力部及び非反転入力部を備えている演算増幅器２０８と、増幅器２０８の出力部２２６と増幅器２０８の反転入力部２２８との間のトランスインピーダンスアンプ２０４のフィードバック経路において結合されているフィードバックキャパシタ２１２と、演算増幅器の反転入力部２２８及び出力部２２６の間に結合されているリセットスイッチ２２０とを含んでよい。そのような実施形態で、第１スイッチ２１０（例えば、積分スイッチ）は、矢印２３４によって示されている第１経路に沿ってＣＤＳキャパシタ２０２の第１端子と増幅器２０８の出力部２２６との間に位置付けられている。第２スイッチ２４２（例えば、ＣＤＳスイッチ）は、矢印２３６によって示されている第２経路に沿ってＣＤＳキャパシタ２０２の第２端子と増幅器２０８の出力部２２６との間に位置付けられている。様々な実施形態のスイッチは、コントローラ２４０によってアクティブ及び非アクティブに（すなわち、開閉）されるよう構成される如何なる適切なスイッチングデバイスも含んでよい。コントローラ２４０はマイクロコントローラを含んでよい。
【００２１】
図２に示されるように、ＣＤＳキャパシタ２０２の第１端子は負端子を含んでよく、ＣＤＳキャパシタ２０２の第２端子は正端子を含んでよい。様々な実施形態において、サンプル・ホールドキャパシタ２０６は、サンプル・ホールドスイッチ２１８を介して増幅器２０８の出力部２２６へ結合される。図示されるように、サンプル・ホールドスイッチ２１８は、アクティブにされる（すなわち、閉じられる）場合に、増幅器２０８の出力部２２６とサンプル・ホールドキャパシタ２０６とを直接結合する。様々な実施形態において、回路２００の容量素子は、比較的小さい値に下げられてよい。特定の実施形態では、回路２００は、実質的に同じ値を有しているサンプル・ホールドキャパシタ２０６及びＣＤＳキャパシタ２０２を含んでよい。例えば、一実施形態のＣＤＳキャパシタ２０２は、２６０フェムト・ファラッドのキャパシタンス値を有してよく、サンプル・ホールドキャパシタ２０６は、２６０フェムト・ファラッドのキャパシタンス値を有してよい。そのような実施形態において、フィードバックキャパシタ２１２は、３２フェムト・ファラッドのキャパシタンス値を有してよい。なお、様々な他の適切な値が、更なる実施形態では使用されてよい。
【００２２】
以下で更に詳細に説明されるように、回路２００は、フォトダイオード２２４、電圧クランプ２１４、及びフォロワアンプ２２２を更に含んでよい。Ｃｄｅｔ２３０は、対応する検出器の寄生キャパシタンスを表すよう図示されており、Ｃｐａｒ２３２は、回路２００内のルーティング（例えば、金属配線又は金属−酸化物−金属キャパシタボトムプレート）の結果としての寄生キャパシタンスを表すよう図示されている。一実施形態に従って、電圧クランプ２１４は、クランプスイッチ２１６を介してＣＤＳキャパシタ２０２の第２端子へ選択的に結合される。図２に示されるように、フォトダイオード２２４は、トランスインピーダンスアンプ回路２０４の増幅器２０８の反転入力部２２８へ結合されてよい。様々な実施形態の特定のフォトダイオード２２４は、特定の波長の光に反応するよう選択された如何なる検出器も含んでよい。例えば、フォトダイオード２２４は、０．３ミクロン程度から２．５ミクロン以上までの範囲に及ぶ光の波長を受けることに応答して電流を生成するよう構成される検出器を含んでよい。例えば、所望の波長の光が、関連する照明システムの１つ以上の光源によって生成され得る。
【００２３】
様々な実施形態において、フォロワアンプ２２２は、図２が示すように、サンプル・ホールドキャパシタ２０６へ結合された入力部を備えている演算増幅器を含んでよい。ここで説明されるように、様々な実施形態のサンプル・ホールドキャパシタ２０６は、ＣＴＩＡ回路２０４からの積分信号を保持し、例えば、フォロワアンプ２２２のような下流の構成要素へ供給するよう構成される。一例において、フォロワアンプ２２２は、ソースフォロワのような（略）ユニティゲインアンプを含む。フォロワアンプ２２２の出力は、他のユニットセル回路の出力とともに、コラムバスへ結合されてよい。様々な実施形態において、フォロワアンプ２２２は、サンプル・ホールドキャパシタ２０６でのサンプル・ホールド電圧を検知し、そのような電圧をコラムバスへ駆動するよう構成される。
【００２４】
図２は、第１動作モードの間の回路２００の略図を示す。第１動作モードは、様々な実施形態において、ｋＴＣノイズサンプリング動作モードのようなノイズサンプリング動作モードであってよい。上述されたように、回路２００内の構成要素のｋＴＣノイズは、回路２００及び後続のプロセス（例えば、イメージング動作）に対して好ましくない影響を有しうる。特定の実施形態では、ＣＴＩＡ回路２０４は、コモンソース増幅器を含んでよく、このとき、ＣＴＩＡ回路２０４の出力電圧は、リセットスイッチ２２０の作動の間、ＣＴＩＡ回路２０４の入力トランジスタの閾電圧である。すなわち、演算増幅器２０８の出力電圧は、増幅器２０８のコモンモード電圧（Ｖｃｍ）であってよい。リセットスイッチ２２０の解放後、フィードバックキャパシタ２１２は、ここで説明されるように、出力電圧においてｋＴＣノイズを引き起こす。説明のためにサンプリング動作モードの間、且つ、リセットスイッチ２２０の非アクティブ化の後、演算増幅器２０８の出力電圧は：
Ｖｔｃｉａ＝Ｖｃｍ＋ＶｋＴＣ
と表され得る。ここで、Ｖｃｍは、仮想増幅器リファレンス（例えば、コモンソース増幅器の入力トランジスタのＶｇｓに等しい。）であり、ＶｋＴＣは、リセットスイッチ２２０の非アクティブ化の後にフィードバックキャパシタ２１２によって引き起こされるｋＴＣノイズである。
【００２５】
然るに、様々な実施形態において、ｋＴＣサンプリング周期の間、且つ、リセットスイッチ２２０の即座の非アクティブ化の後、電圧クランプ２１４は、ｋＴＣノイズをＣＤＳキャパシタ２０２にサンプリングするようアクティブにされる。様々な実施形態において、電圧クランプ２１４は、入力波形の上限及び下限を一定のＤＣ電圧レベルに固定する。このＤＣ電圧レベルは、この場合に、ＣＴＩＡ回路２０４のリセットレベルを含んでよい。すなわち、第１動作モードの間、クランプスイッチ２１６は、リセット電圧と、フィードバックキャパシタ２１２によって引き起こされるｋＴＣノイズとをＣＤＳキャパシタ２０２にサンプリングするようアクティブにされる。
【００２６】
様々な実施形態において、フィードバックキャパシタ２１２の両端にある積分されたフォト電流、すなわち、Ｖｉｎｔは：
Ｖｉｎｔ＝∫（Ｉｐｈｏｔｏ／（Ｃｆｂ×Ｔｉｎｔ））
と表され得る。ここで、Ｉｐｈｏｔｏは、フォトダイオード２２４からの電流であり、Ｃｆｂは、フィードバックキャパシタ２１２の値（すなわち、キャパシタンス値）であり、Ｔｉｎｔは、積分周期である。特定の実施形態では、回路１００の積分期間は、１ｍｓから３０ｍｓの範囲に及んでよく、回路２００の動作のフレームレートと実質的に同じであってよい。図１を参照して上述されたように、様々な従来のアーキテクチャは、回路内の減衰を最小限にするよう（サンプル・ホールドキャパシタ値に対して）大きいＣＤＳキャパシタ値を必要とする。そのような配置は、リセットスイッチの非アクティブ化の後にリセットレベル（すなわち、リセット電圧及びｋＴＣノイズ）を安定させるよう、対応する長い期間を必要とする。期間が相当であり得るということで、多くの従来のアプローチは、積分効率の悪さに苦しむ。対照的に、様々な態様及び実施形態は、ＣＤＳキャパシタ２０２の値がサンプル・ホールドキャパシタ２０６の値によって直接には抑制されないということで、積分効率を改善する。図２において、フィードバックキャパシタ２１２での電圧は：
Ｖｆｂ＝（Ｖｃｍ＋ＶｋＴＣ）−Ｖｃｍ
と表され得る。そして、ＣＤＳキャパシタ２０２での電圧は：
Ｖｃｄｓ＝ｖＣｌａｍｐ−（Ｖｃｍ＋ＶｋＴＣ）
と表され得る。ｖＣｌａｍｐは、電圧クランプ２１４の電圧である。
【００２７】
図２に示されるように、ノイズサンプリングモードの間、サンプル・ホールドスイッチ２１８は非アクティブにされたままであり、第２スイッチ２４２は非アクティブにされたままである。様々な実施形態において、回路２００は、ＣＴＩＡ回路２０４がｋＴＣノイズを安定させて、電圧をＣＤＳキャパシタ２０２にリセットすると、第１モード（すなわち、ノイズサンプリングモード）から第２モード（積分モード）へ移るよう構成される。例えば、コントローラ２４０は、第１動作モードから移動し、所定の一定遅延期間に基づき積分を開始するよう、クランプスイッチ２１６を非アクティブにしてよい。図３は、様々な態様及び実施形態に従って、積分動作モード（すなわち、第２動作モード）における図２のイメージング回路２００の略図を示す。積分動作モードの間、例えば、コントローラ２４０によって、リセットスイッチ２２０は非アクティブにされたままであり、第１スイッチ２１０はアクティブにされたままであり、第２スイッチ２４２は非アクティブにされたままであり、サンプル・ホールドスイッチ２１８は非アクティブにされたままであり、クランプスイッチ２１６は非アクティブにされたままである。図３は、そのような構成を示す。積分動作モードの間、フィードバックキャパシタ２１２に蓄えられた電荷は、所与の積分インターバルにわたってフォトダイオード２２４で受け取られた光束の強さに対応する出力電圧を生成するように、有効に積分される。出力電圧は、増幅器２０８の出力部２２６で生成される。
【００２８】
様々な実施形態において、積分動作モードの間、フィードバックキャパシタ２１２によって引き起こされるｋＴＣノイズは、ＣＤＳキャパシタ２０２で浮いたままとされる。回路２００が出力電圧のスナップショットサンプルを実施するよう構成される第３動作モードの直前に、第１スイッチ２１０は非アクティブにされ、第２スイッチ２４２はアクティブにされて、ＣＤＳキャパシタ２０２をフィードバックキャパシタ２１２と直列にＣＴＩＡ回路２０４のフィードバックループ内に結合し、回路２００を第３動作モードへ移す。特定の実施形態では、第１スイッチ２１０及び第２スイッチ２４２は、第１スイッチ２１０及び第２スイッチ２４２が異なる時点で制御されるように、重なり合わないスイッチング信号に基づき制御される。様々な実施形態において、積分動作モードの間、演算増幅器２０８の出力電圧は：
Ｖｃｔｉａ＝Ｖｃｍ＋ＶｋＴＣ−Ｖｉｎｔ
と表され得る。そのような実施形態では、フィードバックキャパシタ２１２での電圧は：
Ｖｆｂ＝（Ｖｃｍ＋ＶｋＴＣ−Ｖｉｎｔ）−Ｖｃｍ
と表され得る。そして、ＣＤＳキャパシタ２０２での電圧は：
Ｖｃｄｓ＝ｖＣｌａｍｐ−（Ｖｃｍ＋ＶｋＴＣ）
と表され得る。
【００２９】
第２スイッチ２４２がアクティブにされ（すなわち、閉じられ）、第１スイッチ２１０が非アクティブにされる（すなわち、開かれる）とき、演算増幅器２０８の出力電圧は、ＣＤＳキャパシタ２０２で蓄えられた電荷（すなわち、フィードバックキャパシタ２１２の以前に蓄えられたｋＴＣノイズ）の瞬時の減算を経験する。然るに、ＣＤＳキャパシタ２０２の負端子と直列にフィードバックキャパシタ２１２を結合することが増幅器２０８の出力電圧からｋＴＣノイズを有効に除くということで、フィードバックキャパシタ２１２の両端にある唯一のノイズは無視可能なｋＴＣ寄生であり得る。第２動作モード（すなわち、積分モード）とは別なものとしてここで説明されているが、明らかなように、様々な実施形態において、第３動作モード（すなわち、ＣＤＳモード）は積分動作モードの間に実施されてよく、特に、積分動作モードの終わりに実施されてよい。然るに、ＣＤＳ動作モードは、説明の便宜上のためだけに、積分動作モードと別なものとして説明されている。
【００３０】
図４は、様々な態様及び実施形態に従って、第３動作モードにおいて示される図２の読出集積回路２００の略図を示す。第３動作モードの間、図示されるように、リセットスイッチ２２０は非アクティブにされたままであり、第１スイッチ２１０は第１の時点で非アクティブにされ、第２スイッチ２４２は第２の時点でアクティブにされ、クランプスイッチ２１６は非アクティブにされたままであり、サンプル・ホールドスイッチ２１８は非アクティブにされたままである。ＣＤＳ動作モードの間、フィードバックキャパシタ２１２での電圧は：
Ｖｆｂ＝（Ｖｃｍ＋ＶｋＴＣ−Ｖｉｎｔ）−Ｖｃｍ
と表され得る。ＣＤＳキャパシタ２０２での電圧は：
Ｖｃｄｓ＝ｖＣｌａｍｐ−（Ｖｃｍ＋ＶｋＴＣ）
と表され得る。上述されたように、様々な実施形態において、ＣＤＳキャパシタ２０２での電圧は、積分フェーズの間、一定のままであり、然るに、ＣＤＳ動作モードの間、同じ値に保たれる。しかし、ＣＤＳキャパシタをＣＴＩＡ回路２０４のフィードバック経路内のフィードバックキャパシタ２１２と直列に結合する結果として、回路２００は、演算増幅器２０８の出力電圧からｋＴＣノイズを有効に減じるよう構成される。これは：
Ｖｃｔｉａ＝Ｖｃｍ＋Ｖｆｂ＋Ｖｃｄｓ
と表され、次の：
Ｖｃｔｉａ＝Ｖｃｍ＋［（Ｖｃｍ＋ＶｋＴＣ−Ｖｉｎｔ）−Ｖｃｍ］＋［ｖＣｌａｍｐ−（Ｖｃｍ＋ＶｋＴＣ）］＝ｖＣｌａｍｐ−Ｖｉｎｔ
のように換算され得る。
【００３１】
様々な実施形態において、ＣＤＳ動作モードに続き、回路２００は、第４動作モード（例えば、サンプル・ホールド動作モード）へ移るよう構成される。図５は、態様及び実施形態に従って、サンプル・ホールド動作モードにおいて示される図２のイメージング回路２００の略図である。サンプル・ホールド動作モードの間、増幅器２０８の出力電圧は、サンプル・ホールドキャパシタ２０６に直接にサンプリングされる。様々な実施形態において、サンプル・ホールドキャパシタ２０６は、ＣＴＩＡ回路２０４の出力によって直接に駆動される。これは、従来のスキームのサンプル・ホールドリセットスイッチ（図１に示されるスイッチ１０８）の動作によって生じる追加のノイズを回避及び除去する。更には、ＣＤＳキャパシタ２０２及びサンプル・ホールドキャパシタ２０６のキャパシタンス値が上記の電圧式に対して最小限の影響しか有さないということで、全てのゲインはＣＴＩＡ回路２０４の出力に対して１（unity）である。
【００３２】
一実施形態において、リセットスイッチ２２０をアクティブにした後のノイズは、ＣＤＳキャパシタ２０２の値をサンプル・ホールドキャパシタ２０６の値におおよそ等しく設定することで、更に低減される。そのような実施は、ＣＤＳキャパシタ２０２及びサンプル・ホールドキャパシタ２０６からの如何なる入力換算ノイズも平衡に保ちうる。これは更に、サンプル・ホールドキャパシタの値よりもずっと大きい値のＣＤＳキャパシタを必要としうる、図１に示されるレイアウトのような従来のスキームを改善する。また更には、ＣＤＳキャパシタ２０２の値をサンプル・ホールドキャパシタ２０６の値とおおよそ等しく設定することは、短いクランプパルスを可能にする。これは更に、積分動作モードの間、効率を改善し得る。
【００３３】
然るに、サンプル・ホールド動作モードの間、フィードバックキャパシタ２１２での電圧は：
Ｖｆｂ＝（Ｖｃｍ＋ＶｋＴＣ−Ｖｉｎｔ）−Ｖｃｍ
と表され得る。そして、ＣＤＳキャパシタ２０２での電圧は、上述されたように：
Ｖｃｄｓ＝ｖＣｌａｍｐ−（Ｖｃｍ＋ＶｋＴＣ）
と表され得る。更に、サンプル・ホールドキャパシタ２０６での電圧は：
Ｖｓｈ＝Ｖｃｔｉａ＝ｖＣｌａｍｐ−Ｖｉｎｔ
と表され得る。
【００３４】
然るに、様々な実施形態は、回路２００の全体のノイズ性能を改善しながら、電荷共有減衰を回避し、従来のイメージング回路内のｋＴＣノイズの好ましくない影響を解消する。
【００３５】
上述されたように、様々な実施形態は、第１スイッチ２１０、第２スイッチ２４２、クランプスイッチ２１６、サンプル・ホールドスイッチ２１８、及びリセットスイッチ２２０のような、様々な実施形態のスイッチのうちの１つ以上をアクティブ及び／又は非アクティブにするよう動作上接続され且つ構成されるコントローラ（例えば、コントローラ２４０）を含んでよい。コントローラ２４０は、単一のコントローラを含んでよい。しかし、様々な他の実施形態では、コントローラ２４０は、外部デバイス、信号処理回路、又は他の制御回路を含み得る複数のコントローラ及び／又は制御サブシステムから成ってよい。特に、コントローラ２４０は、アナログ処理回路（例えば、マイクロコントローラ）及び／又はデジタル信号処理回路（例えば、デジタル信号プロセッサ（ＤＳＰ））を含んでよい。例えば、様々な実施形態のマイクロコントローラは、プロセッサコア、メモリ、及びプログラム可能な入力／出力コンポーネントを含んでよい。コントローラ２４０は、１つ以上のスイッチングデバイスのような、イメージング回路の様々な構成要素を自動制御するよう構成されてよい。
【００３６】
図２〜５を参照して上述されたように、いくつかの実施形態は、ＣＴＩＡ及びＣＤＳ動作のための既知のスキームを改善するプロセスを実施する。いくつかの実施形態において、それらのプロセスは、図２〜５を参照して上述された回路２００のようなイメージング回路によって実行される。そのようなプロセスの一例が図６において表されている。この例に従って、プロセス６００は、ＣＴＩＡ内のフィードバックキャパシタのｋＴＣノイズをサンプリングする動作と、出力電圧を生成する動作と、ｋＴＣノイズを除去するようフィードバックキャパシタと直列にＣＤＳキャパシタを切り替える動作と、出力電圧をサンプル／ホールドキャパシタにサンプリングする動作とを含んでよい。図６は、図２〜５に示されている回路２００を引き続き参照して説明される。
【００３７】
動作６０２で、プロセス６００は、ＣＴＩＡのフィードバック経路内のフィードバックキャパシタによって引き起こされるｋＴＣノイズを相関二重サンプリングキャパシタにサンプリングすることを含む。ここで記載されるように、そのようなプロセスは、第１動作モード（例えば、ノイズサンプリング動作モード）の間に回路によって実施されてよい。リセットスイッチの解放に続いて、プロセス６００は、回路のリセットレベルをＣＤＳキャパシタにサンプリングするよう電圧クランプスイッチをアクティブにすることを含んでよい。上述されたように、これは、リセットスイッチが非アクティブにされる場合に、フィードバックキャパシタによって引き起こされるｋＴＣノイズ及び仮想増幅器リファレンス（Ｖｃｍ）を含む。様々な実施形態において、第１動作モードの間、プロセス６００は、アクティブ位置（すなわち、閉成位置）のままでいるよう、第１経路に沿って相関二重サンプリングキャパシタの第１端子と増幅器の出力部との間に結合された第１スイッチ（例えば、積分スイッチ）を制御することと、アクティブ位置（すなわち、閉成位置）のままでいるよう、電圧クランプと相関二重サンプリングキャパシタの第２端子との間のクランプスイッチを制御することとを含んでよい。
【００３８】
ここで説明されるように、様々な実施形態において、回路は、第１モード（すなわち、ノイズサンプリングモード）から第２モード（すなわち、積分モード）へ移るよう構成されてよい。第２動作モードは、光電流を受け、ＣＴＩＡの出力部で出力電圧を生成するための１つ以上のプロセス（動作６０４及び動作６０６）を含んでよい。例えば、様々な実施形態において、プロセス６００は、フィードバックキャパシタに蓄えられた電荷に少なくとも部分的に基づき、ＣＴＩＡの出力部で出力電圧を生成することを含んでよい。積分動作モードの間、リセットスイッチは非アクティブにされたままであり、第１スイッチはアクティブにされたままであり、第２スイッチは非アクティブにされたままであり、サンプル・ホールドスイッチは非アクティブにされたままであり、クランプスイッチは非アクティブにされたままである。積分動作モードの間、プロセス６００は、所与の積分インターバルにわたってフォトダイオードで受け取られた光束の強さに対応する電圧を生成するよう、フィードバックキャパシタに蓄えられた電荷を積分することを含んでよい。出力電圧は、ＣＴＩＡの出力部で生成される。
【００３９】
様々な実施形態において、積分動作モードの間、プロセス６００は、フィードバックキャパシタによって引き起こされるｋＴＣノイズをＣＤＳキャパシタで保持することを含んでよい。プロセス６００がスナップショットサンプルを実施することを含んでよい第４動作モード（すなわち、サンプル・ホールド動作モード）の直前に、プロセス６００は、ＣＴＩＡのフィードバックループ内にフィードバックキャパシタと直列にＣＤＳキャパシタを結合するよう、第１スイッチを非アクティブにし且つ第２スイッチをアクティブにすることを含んでよい。様々な実施形態において、第１スイッチを非アクティブにすることは、第１の時点で第１スイッチを非アクティブにすることを含み、第２スイッチをアクティブにすることは、第２の時点で第２スイッチをアクティブにすることを含み、それにより、第１スイッチ及び第２スイッチは、重なり合わないスイッチング信号に基づきアクティブにされる。特に、これは、ＣＤＳキャパシタに蓄えられた電荷に基づき、増幅器の出力部において出力電圧からｋＴＣノイズを除くことを含んでよい（動作６０８）。然るに、この時点でのフィードバックキャパシタの両端における唯一のノイズは、ＣＤＳキャパシタの負端子と直列にフィードバックキャパシタを結合することが出力電圧からｋＴＣノイズを有効に除くということで、無視可能なｋＴＣ寄生である。第２動作モード（すなわち、積分モード）とは別個の第３動作モードとしてここで説明されてきたが、明らかなように、様々な実施形態において、第３動作モードは、積分動作モードの間に実施されてよく、特に、積分動作モードの終わりに実施されてよい。然るに、ＣＤＳ動作モードは、説明のためだけに、積分動作モードとは別のものとして、ここでは説明されている。
【００４０】
様々な実施形態において、第３動作モードは、第４動作モード（すなわち、サンプル・ホールドモード）へ移る。様々な実施形態において、第４動作モードは、サンプル・ホールドスイッチによって増幅器の出力部と直接結合されたサンプル・ホールドキャパシタに出力電圧をサンプリングする動作（動作６１０）を含んでよい。様々な実施形態において、サンプル・ホールドキャパシタは、ＣＴＩＡ出力によって直接駆動される。これは、従来のスキームのサンプル・ホールドリセットスイッチ（例えば、図１に示されるスイッチ１０８）の動作によって生じる追加のノイズを回避及び除去する。更には、ＣＤＳキャパシタ及びサンプル・ホールドキャパシタのキャパシタンス値が上記の電圧式に対して最小限の影響しか有さないということで、全てのゲインはＣＴＩＡ出力に対して１である。
【００４１】
更なる実施形態では、プロセス６００は、増幅器の出力電圧をサンプル・ホールドキャパシタで保持し、積分された出力信号を供給することを含んでよい。様々な実施形態において、プロセス６００は、サンプル・ホールドキャパシタに蓄えられた電荷に少なくとも部分的に基づき出力信号を供給するための１つ以上のプロセスを含んでよい。一例において、プロセス６００は、サンプル・ホールドキャパシタでサンプル・ホールド電圧を検知し、サンプル・ホールド電圧を、サンプル・ホールドキャパシタに蓄えられた電荷をドレーンすることなしに、コラムバスへ駆動することを含む。例えば、プロセス６００は、サンプル・ホールドキャパシタへ結合されたソースフォロワ増幅器によりサンプル・ホールドキャパシタからコラムバスへサンプル・ホールド電圧をバッファリングすることを含んでよい。
【００４２】
少なくとも１つの実施形態のいくつかの態様に関して記載してきたが、当然ながら、様々な変更、修正、及び改良が当業者に容易に想到可能だろう。そのような変更、修正、及び改良は、本開示の部分であるよう意図され、且つ、本発明の適用範囲内にあるよう意図される。然るに、前述の記載及び図面は、単なる一例であり、本発明の適用範囲は、添付の特許請求の範囲及びそれらの均等の適切な構成から決定されるべきである。
【図１】
2019508922.tif 000003
【図２】
2019508922.tif 000004
【図３】
2019508922.tif 000005
【図４】
2019508922.tif 000006
【図５】
2019508922.tif 000007
【図６】
2019508922.tif 000008
【国際調査報告】
2019508922.tif 000009
2019508922.tif 000010